(57)【要約】  【課題】  動作特性の向上に有効な振動センサを提供すること。  【解決手段】  振動センサ１は、基板２と、基板２の上面の中央部に位置している導体層３と、基板２上に、導体層３と間をあけて導体層３を囲んで位置しており、導体層３側の側面が、その側面の下端と上端との間の少なくとも一部において、側面の上端に向かって外側に傾斜している傾斜部４ａを有する枠状導電部材４と、基板２上に設けられ、枠状導電部材４で囲まれる領域において導体層３上に位置する球状導電部材５と、基板２上に枠状導電部材４を囲んで位置している枠体６と、枠体６上に位置して球状導電部材５を覆っており、少なくとも球状導電部材５と対向する部分に上部導体層８を有する蓋体７とを備える。【選択図】  図６
2019007911.tif 000002
【特許請求の範囲】
【請求項１】
上面を有する基板と、
前記上面の中央部に位置している導体層と、
前記基板上に、前記導体層と間をあけて前記導体層を囲んで位置しており、前記導体層側の側面が、該側面の下端と上端との間の少なくとも一部において、前記側面の上端に向かって外側に傾斜している傾斜部を有する枠状導電部材と、
前記基板上に設けられ、前記枠状導電部材で囲まれる領域において前記導体層上に位置する球状導電部材と、
前記基板上に前記枠状導電部材を囲んで位置している枠体と、
前記枠体上に位置して前記球状導電部材を覆っており、少なくとも前記球状導電部材と対向する部分に上部導体層を有する蓋体とを備える振動センサ。
【請求項２】
前記枠状導電部材の前記側面の全体が、該側面の下端から上端に向かって外側に傾斜している請求項１記載の振動センサ。
【請求項３】
前記枠状導電部材の全体が、該枠状導電部材の下端から上端に向かって外側に傾斜している請求項２記載の振動センサ。
【請求項４】
前記枠状導電部材の前記側面の全体が、前記導体層に対向する平面視において前記側面の上部が下部よりも外側に位置するように凸状に湾曲している請求項１記載の振動センサ。
【請求項５】
前記枠状導電部材の下端部分が、前記導体層側に曲がった曲面状である請求項１〜請求項４のいずれか１項記載の振動センサ。
【請求項６】
前記枠状導電部材の上端部分が前記枠体側に曲がった曲面状である請求項１〜請求項５のいずれか１項記載の振動センサ。
【発明の詳細な説明】
【技術分野】
【０００１】
本発明は、振動センサに関する。
【背景技術】
【０００２】
近年、転動可能な導電性球状電極と固定電極との電気的接触を利用して、傾斜や振動状態を検知する振動センサが知られている（例えば、特許文献１参照）。また、固定電極とセラミック構造等の周囲の材料との熱膨張係数の違いによる振動センサの破壊の可能性を低減する技術も提案されている（例えば特許文献２参照）。
【先行技術文献】
【特許文献】
【０００３】
【特許文献１】特開2009−238715号公報
【特許文献２】特開2015−87220号公報
【発明の概要】
【発明が解決しようとする課題】
【０００４】
近年、振動センサについて、破壊の可能性の低減等の信頼性に加えて、動作特性の向上が求められている。動作特性は、例えば振動センサが実装された機器に転倒等に起因した上下左右方向（重力に対する方向）の変動があっても、機器の振動を効果的に検知することができるような特性である。
【課題を解決するための手段】
【０００５】
本発明の一実施形態に係る振動センサは、上面を有する基板と、前記上面の中央部に位置している導体層と、前記基板上に、前記導体層と間をあけて前記導体層を囲んで位置しており、前記導体層側の側面が、該側面の下端と上端との間の少なくとも一部において、前記側面の上端に向かって外側に傾斜している傾斜部を有する枠状導電部材と、前記基板上に設けられ、前記枠状導電部材で囲まれる領域において前記導体層上に位置する球状導電部材と、前記基板上に前記枠状導電部材を囲んで位置している枠体と、前記枠体上に位置して前記球状導電部材を覆っており、少なくとも前記球状導電部材と対向する部分に上部導体層を有する蓋体とを備える。
【発明の効果】
【０００６】
本発明によれば、動作特性の向上に対して有効な振動センサを提供することができる。
【図面の簡単な説明】
【０００７】
【図１】本実施形態に係る振動センサの概観を示す斜視図である。
【図２】本実施形態に係る振動センサから蓋体を外した状態を示す斜視図である。
【図３】図１で示した振動センサの側面図である。
【図４】（ａ）は図１で示した振動センサの上面図であり、（ｂ）は下面図である。
【図５】図１のＸ−Ｘに沿った振動センサの断面を示す斜視図である。
【図６】図５で示した振動センサの断面図である。
【図７】図１で示した振動センサを分解して示す斜視図である。
【図８】（ａ）、（ｂ）はそれぞれ図５で示した振動センサの一部を拡大して示す断面図である。
【図９】（ａ）および（ｂ）は図１で示した振動センサを分解して示す平面図である。
【図１０】（ａ）は図１で示した振動センサに含まれるパッケージを上側から見た斜視図であり、（ｂ）は下側から見た斜視図である。
【図１１】図６の変形例を示す断面図である。
【発明を実施するための形態】
【０００８】
以下に添付図面を参照して、本発明の実施形態の振動センサを説明する。なお、本発明は以下の実施形態に限定されないものとする。
【０００９】
（振動センサの概略構成）
図１は、本実施形態に係る振動センサの概観斜視図であって、蓋体を取り付けた状態を示している。図２は、本実施形態に係る振動センサの外観斜視図であって、蓋体を取り外して内部が見える状態を示している。図３は、図１で示した振動センサの側面図である。図４（ａ）は、図１で示した振動センサの上面図であり、図４（ｂ）は下面図である。図５は、図１のＸ−Ｘに沿った振動センサの断面を示す斜視図である。図６は、図５で示した振動センサの断面図である。図７は、図１で示した振動センサを分解して示す斜視図である。図８（ａ）および（ｂ）は、それぞれ図５で示した振動センサの一部を拡大して示す断面図である。図９（ａ）および（ｂ）は、図１で示した振動センサを分解して示す平面図である。図10（ａ）は図１で示した振動センサに含まれるパッケージを上側から見た斜視図であり、図10（ｂ）はこれを下側から見た斜視図である。
【００１０】
振動センサは、自動車等の車両、家電製品または電子機器等の製品に組み込んで、それらの製品の傾斜や振動を検出するためのものである。家電製品や電子機器の例としては、デジタルカメラ、携帯電話、スマートフォン等が挙げられる。振動センサは、振動センサが備える導体間の導通状態の変化に応じて、車両、各種家電製品または電子機器の振動を検知することができる。
【００１１】
本実施形態に係る振動センサ１は、上面を有する基板２と、基板２の上面の中央部に位置している導体層３と、基板２上に位置する枠状導電部材４と、基板２上に設けられている球状導電部材５と、基板２上に位置している枠体６と、枠体６上に位置する蓋体７とを備えている。枠状導電部材４は、導体層３と間をあけて導体層３を囲んでいる。また、枠状導電部材４は、導体層３側の側面（以下、単に側面ともいう）が、その側面の下端と上端との間の少なくとも一部において、その側面の上端に向かって外側に傾斜している傾斜部４ａを有している。球状導電部材５は、枠状導電部材４で囲まれる領域に位置し、この領域において導体層３と接触している。枠体６は、枠状導電部材４を囲んでいる。蓋体７は、球状導電部材５を覆っている。すなわち、蓋体７の下面は球状導電部材５と対向する部分を有している。また、蓋体７は、少なくとも球状導電部材５と対向する部分に上部導体層８を有している。
【００１２】
基板２は、絶縁性の基板であって、例えば、アルミナ、ムライトまたは窒化アルミ等のセラミック材料、あるいはガラスセラミック材料等から成る。または、これらの材料のうち複数の材料を混合した複合系材料から成る。なお、基板２は、平面視して矩形状の外形であって、一辺の長さが１ｍｍ以上10ｍｍ以下に設定されている。基板２の厚みは、0.5
ｍｍ以上３ｍｍ以下に設定されている。また、基板２の熱伝導率は、１４Ｗ／ｍ・Ｋ以上200Ｗ／ｍ・Ｋ以下に設定されている。基板２の熱膨張係数は、４ｐｐｍ／Ｋ以上８ｐｐ
ｍ／Ｋ以下に設定されている。
【００１３】
基板２は、例えばセラミックグリーンシート積層法で製作されたものであり、複数の絶縁層（符号なし）が上下に積層されたものでもよい。複数のグリーンシートのそれぞれが絶縁層になる。この実施形態の例では２層の絶縁層によって基板２が形成されている。基板２の製造方法の詳細については後述する。この場合、上下の絶縁層同士が両者の界面においても焼結し合うため、層間の境界が明確にはわからない可能性がある。
【００１４】
基板２の上面の中央部に位置する導体層３は、後述する球状導電部材５を介した枠状導電部材４との電気的な接続状態の変動によって振動センサ１および振動センサが実装された機器（製品）の振動の有無等を検知する機能を有している。すなわち、振動センサ１が実装される電子機器の振動等に起因して電子機器に振動または傾き等の位置の変動が生じたときには、球状導電部材５が枠状導電部材４の内側で移動して、枠状導電部材４の内側に当接する。この当接の結果、球状導電部材５と枠状導電部材４との間の電気的な導通に変化が生じる。その結果、電子機器が振動したこと、または傾いたこと等を振動センサ１が検知することができる。この振動の検知等の詳細については、枠状導電部材４および球状導電部材５等に関する説明部分でも説明する。
【００１５】
導体層３は、例えば印刷された金属層（メタライズ層）または金属等の導電材料からなる円板等の板状の部材（導電板）等である。この実施形態では、例えば図５および図６に示しているように、導体層３が導電板３Ａであり、基板２が、その上面に凹部２ａを有している。以下において、導電板３Ａである導体層３を単に導電板３Ａともいう。凹部２ａは、導体層３としての導電板３Ａを収容するためのスペースである。すなわち、凹部２ａは、導電板３Ａがちょうど収まる程度の大きさ（上面視における径および深さ等）である。凹部２ａは、基板２の上面の中央部分に設けられる。凹部２ａは、平面視して円形状であって、例えば、直径が0.5ｍｍ以上５ｍｍ以下に設定されている。凹部２ａは、例えば、上下方向の深さが、0.3ｍｍ以上2.5ｍｍ以下に設定されている。
【００１６】
導電板３Ａは、凹部２ａに収められる。導電板３Ａは、球状導電部材５と電気的に接続される。この電気的な接続は、球状導電部材５の下側の端部分と導電板３Ａの上面との直接の接触によって行なわれる。導電板３Ａは、導電性の円板であって、例えば、タングステン、モリブデン、ニッケル、コバルト、鉄、銅、銀、金またはアルミニウム等の金属材料、あるいはそれらの合金、あるいはこれらの材料のうち複数の材料を混合した複合系材料、あるいはそれらの材料の複合層からなる。
【００１７】
導電板３Ａは、例えば所定の厚みを持った円板状である。導電板３Ａの具体的な一例は次のとおりである。導電板３Ａの熱膨張係数は、３ｐｐｍ／Ｋ以上28ｐｐｍ／Ｋ以下に設定されている。導電板３Ａは、直径が0.2ｍｍ以上３ｍｍ以下であって、上下方向の厚み
が0.3ｍｍ以上2.5ｍｍ以下に設定されている。導電板３Ａは、凹部２ａの底面にろう材を介して接続される。
【００１８】
なお、導電板３Ａは、その上面が凸状に湾曲したものでも構わない。この場合には、例えば、平面視における導電板３Ａの中心部分における厚みが約0.5〜2.5ｍｍであり、外周部はそれよりも0.3〜2.3ｍｍ下側に位置するように設定される。また、上面が全体的に湾曲している上記の例において、その上面の曲率半径が0.3〜15ｍｍ程度の湾曲した面にな
るように、導電板３Ａの厚みを設定してもよい。
【００１９】
導電板３Ａは、所定の厚みを持った円板にすることで、球状導電部材５、凹部２ａまたは振動センサ１の内部の空間内の熱を効率よく吸収して、基板２を介して熱を振動センサ１の外部に放熱しやすくすることができる。凹部２ａを含む振動センサ１の内部の空間内は、振動センサ１を製造する工程や外部の実装基板にはんだを介して実装するときに加えられる熱、振動センサ１の環境試験および信頼性試験において加えられる熱、または振動センサ１が作動する際に生じる熱がこもりやすい。そこで、導電板３Ａを設けることで、凹部２ａを含む振動センサ１の内部の空間内の熱を導電板３Ａおよび基板２を介して振動センサ１の外部に放散しやすくすることができる。導電板３Ａの厚みは、球状導電部材５や振動センサ１の内部からの熱を吸収しやすいように、基板２の厚みの半分以上の大きさであって、球状導電部材５の直径の半分以上の大きさの直径に設定されている。
【００２０】
導電板３Ａは、凹部２ａに収めた状態で、導電板３Ａの側面と凹部２ａの内壁面との間に隙間ｓｐ１が設けられる。隙間ｓｐ１は、導電板３Ａが熱膨張を起こしても、凹部２ａの内壁面に導電板３Ａの側面が当接しないように設定されている。仮に、導電板３Ａが凹部２ａに隙間なく嵌った状態に設定されている場合は、導電板３Ａが熱膨張を起こして、凹部２ａの内壁面に対して導電板３Ａから熱応力が加わり、基板２が破壊される虞がある。そこで、導電板３Ａの側面と凹部２ａの内壁面との間に隙間ｓｐ１を設けることで、凹部２ａの内壁面に対する導電板３Ａからの熱応力を効果的に低減することができる。
【００２１】
なお、導体層３がメタライズ層等の金属層からなる場合であれば、例えば次のようにして導体層３を形成することができる。まず、金属層となる金属ペーストを基板２となるグリーンシートの所定部位にスクリーン印刷法等の方法で印刷する。金属ペーストを作製する金属材料としては、例えば、タングステン、モリブデン、マンガン、銅もしくは銀、またはこれらの金属材料を含む合金材料等が挙げられる。次に、そのグリーンシートに、必要に応じて他のグリーンシートを積層する。その後、金属ペーストとグリーンシートとを同時焼成することによって、金属層からなる導体層（図示せず）を形成することができる。この場合には、基板２の上面に凹部２ａを設けることなく、平面状の上面に直接に導体層３が形成される。そのため、振動センサ１としての低背化および生産性の向上等に関しては有利である。
【００２２】
基板２および枠体６といった絶縁体部分には、導体層以外にメタライズ層が設けられていてもよい。この実施形態では、例えば図５〜７に示すように、基板２の上面に第１メタライズ層９ａが配置され、凹部２ａの底面に第２メタライズ層９ｂが配置され、枠体６の上面に第３メタライズ層９ｃが配置されている。
【００２３】
基板２の上面に位置する第１メタライズ層９ａは、第１メタライズ層９ａは平面視で凹部２ａを取り囲んでいる。例えば図８に示す例のように、第１メタライズ層９ａの上面の一部と枠状導電部材４の下端とがろう材等の導電性の接合材10を介して接続し合い、第１メタライズ層９ａと枠状導電部材４とが互いに電気的に接続されている。この場合、第１メタライズ層９ａは、球状導電部材５を介した導体層３と枠状導電部材４との間の電気的な接続の有無等の導通状態の変動を外部電気回路に伝送する導電路の一部として機能する。
【００２４】
枠状導電部材４に伝送された、導体層３と枠状導電部材４との電気的な接続状態の変動を示す信号は、例えば、基板２の上面から下面にかけて配置される貫通導体を含む配線導体（図示せず）によって基板２の下面側に電気的に導出させることができる。この配線導体の一部を測定用の外部電気回路に電気的に接続させておくことで、振動センサ１の振動の有無等を検知することができる。
【００２５】
この実施の形態の例において、第１メタライズ層９ａは、枠状であり、凹部２ａの周囲を除いて形成されており、凹部２ａと反対側の第１周縁（外周縁）と、凹部２ａ側の第２周縁（内周縁）とを有している。第１メタライズ層９ａの第２周縁は、凹部２ａの縁よりも基板２の上面の外周に近い。また、第１メタライズ層９ａは、凹部２ａの内壁面には形成されない。
【００２６】
第１メタライズ層９ａは、導電板３Ａおよび第２メタライズ層９ｂとは電気的に絶縁している。第１メタライズ層９ａは、例えば、タングステン、モリブデン、ニッケル、銅、銀、金またはアルミニウム等の金属材料からなる。また、第１メタライズ層９ａは、上記の金属材料を含む複数の材料を混合した複合系材料、あるいはそれらの材料の複合層からなる。第１メタライズ層９ａは、例えば上記の導体層３としての金属層と同様に、上記金
属材料等のペーストを基板２となるグリーンシートに印刷し、焼成することによって形成することができる。
【００２７】
凹部２ａの底面に設けられた第２メタライズ層９ｂは、導電板３Ａが銀ろう等の接合材を介して接合される。この場合に第２メタライズ層９ｂは、導電板３Ａを接合するための下地金属層として機能する。
【００２８】
枠状導電部材４は、前述したように、第１メタライズ層９ａ上に設けられる。枠状導電部材４の下面は、接合材10を介して第１メタライズ層９ａに接合されている。枠状導電部材４は、全体として円筒状であり、導体層３から離れて導体層３を囲んでいる。枠状導電部材４は、図９に示すように、平面視して、導電板３Ａの中心と枠状導電部材４で囲まれた領域の中心とが一致するように設けられている。
【００２９】
枠状導電部材４は、例えば、タングステン、モリブデン、鉄、ニッケル、コバルト、銅、銀、金またはアルミニウム等の金属材料からなる。また、枠状導電部材４は、それらの合金材料からなるものでもよい。また、枠状導電部材４は、複数の材料を混合した複合系材料からなるものでもよい。なお、枠状導電部材４の熱膨張係数は、３ｐｐｍ／Ｋ以上28ｐｐｍ／Ｋ以下に設定されている。
【００３０】
枠状導電部材４は、枠体６内に収まる大きさであって、例えば、外形が0.45ｍｍ以上7.5ｍｍ以下であり、内径が0.3ｍｍ以上６ｍｍ以下の筒状に設定されている。また、枠状導電部材４は、上下方向の長さが0.4ｍｍ以上４ｍｍ以下に設定されており、例えば、後述する球状導電部材５の直径より大きい。これにより、振動センサ１が傾斜した場合には、球状導電部材５の端面と枠状導電部材４とをより容易に接触させることができ、振動センサ１の信頼性を向上させることができる。
【００３１】
枠状導電部材４の内側には、球状導電部材５が収まる。球状導電部材５は、図５および図６に示すように、球状導電部材５の中心を枠状導電部材４で囲まれる領域の中心付近に配置させる。この場合には、枠状導電部材４の内壁面と球状導電部材５の表面との間には絶縁空間ｓｐ２が設けられる。絶縁空間ｓｐ２の大きさは、球状導電部材５が導電板３Ａ上を移動することで変化する。絶縁空間ｓｐ２は、基板２の上面に沿った平面方向において、枠状導電部材４の内面と球状導電部材５の表面との間の最大距離が、0.05ｍｍ以上２ｍｍ以下に設定されている。そして、振動センサ１が実装される電子機器の振動等に起因した傾きに応じて移動する。電子機器が傾いたときには、球状導電部材５が枠状導電部材４の内側で移動して、枠状導電部材４の内側に当接する。この当接の結果、球状導電部材５と枠状導電部材４との間の電気的な導通に変化が生じる。その結果、電子機器が振動したこと、または傾いたことを振動センサ１が検知することができる。
【００３２】
球状導電部材５は、基板２上であって枠状導電部材４で囲まれる領域に導電板３Ａと接触して設けられている。球状導電部材５は、振動センサ１を傾けると、導電板３Ａ上を転がることができる。そして、球状導電部材５は、枠状導電部材４で囲まれた領域内を自由に移動することができる。
【００３３】
球状導電部材５は、少なくともその露出表面が、例えば、タングステン、モリブデン、鉄、ニッケル、コバルト、クロム、銅、銀、金またはアルミニウム等の金属材料からなる。球状導電部材５は、その全体がそれらの金属材料からなるものでもよい。また、球状導電部材５は、それらの金属材料の合金材料からなるものでもよい。また、球状導電部材５は、それらの金属材料を含む複数の材料を混合した複合系材料からなるものでもよい。なお、球状導電部材５は、枠状導電部材４で囲まれる領域に収まる大きさであって、直径が0.2ｍｍ以上５ｍｍ以下に設定されている。球状導電部材５は、樹脂材料からなる球状の本体の露出表面に上記の金属材料の層が配置されたものでもよい。金属材料の層は、例えばめっき層またはメタライズ層等の形態で形成することができる。
【００３４】
枠状導電部材４は、例えば図６に示すように、導体層３側の側面が、その側面の下端と上端との間の少なくとも一部において、側面の上端に向かって外側に（図６における矢印Ｐの方向に）傾斜している傾斜部４ａを有している。すなわち、枠状導電部材の内側面は、枠部部分が外側に開くように傾斜している。言い換えれば、球状導電部材５が位置している空間が蓋体７の方向に向かって広くなっている。さらに言い換えれば、枠状導電部材４は、振動センサ１が横向きに転倒（横倒し）になったときに、その内側面が枠状導電部材４の開口側が低くなるように傾いている。内側面が傾斜した枠状導電部材４の上記内径は、その最大径が上記のように0.3ｍｍ以上６ｍｍ以下であればとい。また、この場合の枠状導電部材４は、円筒状であって、上端から下端にかけて次第に開口径が小さくなるものとみなすこともできる。
【００３５】
枠体６は、基板２上に枠状導電部材４を囲んで位置しており、基板２とともに、枠状導電部材４および球状導電部材５等を収容する容器（容器として符号なし）を構成する部材として機能する。枠体６の外周は、基板２の外周縁に沿って設けられている。枠体６は、絶縁性の材料からなり、例えば、アルミナ、ムライトまたは窒化アルミ等のセラミック材料、あるいはガラスセラミック材料等からなる。または、これらの材料のうち複数の材料を混合した複合系材料からなる。なお、枠体６は、平面視して外縁が矩形状であって、外縁の一辺の長さが１ｍｍ以上10ｍｍ以下に設定されている。枠体６の上下方向の厚みは、0.6ｍｍ以上６ｍｍ以下に設定されている。また、枠体６の熱伝導率は、14Ｗ／ｍ・Ｋ以
上200Ｗ／ｍ・Ｋ以下に設定されている。
【００３６】
上記のように、枠体６の上面には第３メタライズ層９ｃが設けられる。第３メタライズ層９ｃは、例えば、金−錫はんだを介して蓋体７が接合され、蓋体７と電気的に接合される。これによって、枠体６の開口部分が蓋体７で塞がれ、枠体６の内側に位置する枠状導電部材４等も封止される。
【００３７】
すなわち、蓋体７も、枠体６および基板２とともに、枠状導電部材４および球状導電部材５等を収容する容器（容器として符号なし）を構成する部材として機能する。そのため、蓋体７は、枠体６上に、枠状導電部材４および球状導電部材５を覆うように設けられている。基板２、枠体６および蓋体７とによって気密封止可能な空間として容器が構成され、この容器内に導体層３、枠状導電部材４および球状導電部材５といった導電性の部分、すなわち振動検知用の導体部分が収容されている。なお、蓋体７は、基板２と枠体６とで囲まれる空間を封止する機能を備えている。蓋体７は、例えば、金−錫はんだを介して枠体６上面の第３メタライズ層９ｃに接合される。
【００３８】
蓋体７は、例えば、酸化アルミニウム質焼結体またはムライト質焼結体等のセラミック材料からなるものでもよく、鉄、ニッケル、コバルト、銅、銀、金またはアルミニウム等の金属材料からなるものでもよい。また、蓋体７は、それらの金属材料を含む合金材料からなるものでもよい。あるいは、蓋体７は、これらの材料のうち複数の材料を混合した複合系材料からなるものでもよい。蓋体７がセラミック材料等の非金属材料からなる場合には、枠体６（第３メタライズ層９ｃ）との接合部分に、ろう付け用の金属層（図示せず）が設けられていてもよい。この金属層は、後述する上部導体層８の一部であってもよい。
【００３９】
蓋体７は、球状導電部材５と対向する部分（図５および図６等に示す例では下面の中央部）に上部導体層８を有している。上部導体層８は、導体層３と同様に、球状導電部材５を介した枠状導電部材との電気的な接続状態の変動によって、振動センサ１の振動の有無等を検知する機能を有している。
【００４０】
また、蓋体７が金属材料からなるものであるときには、蓋体７自体が上部導体層８として機能することもできる。すなわち、この場合には、蓋体７の下面の中央部分に球状導電部材５が接したときに、蓋体７自体が、球状導電部材５と枠状導電部材４との電気的な接続を検知する導電路になることができる。そのため、振動センサ１の低背化および生産性の向上等については有効である。
【００４１】
実施形態の振動センサ１では、前述したように枠状導電部材４の側面が傾斜しているため、上部導体層８による振動の検知に適したものになっている。すなわち、球状導電部材５の移動する空間が広い部分があり、その方向にある上部導体層８でも振動を検知することができる。したがって、球状導電部材の移動が容易であり、振動を検知できる確率を向上させることができる。
【００４２】
また、例えば振動センサ１が実装された機器に転倒等に起因した上下左右方向（重力に対する方向）の変動があったときに、枠状導電部材４の内側面（転倒時に下側になった面）の傾きに従い、球状導電部材５が上部導電層８側に容易に移動して接触することができる。このときに球状導電部材５は枠状導電部材４とは電気的に接続している。そのため、振動センサ１の振動に応じた球状導電部材５の移動（振動）に応じて、球状導電部材５と上部導体層８との電気的な接続状態が変動する。この変動の検知によって、振動センサ１（これが実装された機器）の振動を効果的に検知することができる。
【００４３】
したがって、機器の振動を効果的に検知することができるような、動作特性の向上に有効な振動センサ１を提供することができる。なお、この場合、枠状導電部材４の内側の空間の全体が大きくなっているものではないため、球状導電部材５の加速される距離が制限される。そのため、球状導電部材５の枠状導電部材４にぶつかる速度が大きくなり過ぎる可能性が低減され、振動センサ１としての信頼性も向上している。
【００４４】
上部導体層８で検知された、球状導電部材５を介した枠状導電部材との電気的な接続状態の変動、つまり振動センサ１の振動は、例えば、第３メタライズ層９ｃと、枠体６を上面から下面にかけて貫通する貫通導体を含む配線導体（図示せず）を介して基板２の下面側に電気的に導出される。この電気的な導出の位置は、導体層３からの導出と同じ位置でも構わない。この電気的な導出の位置が導体層３と同じ位置であれば、基板２の下面の同じ位置で振動検知用の外部電気回路に電気的に接続することができる。これによって、実用性の向上においても有利な振動センサ１とすることができる。基板２の下面における導体層３および上部導体層８からの電気的な導出の位置における外部電気回路との電気的な接続については、例えば次に説明するとおりである。
【００４５】
基板２の下面は、例えば図４および図10に示すように、基板２の対向する２辺に沿って一対の下面メタライズ層11が設けられている。一対の下面メタライズ層11は、矩形状に形成されている。そして、一対の下面メタライズ層11の一方11ａが、基板２の一方の辺に沿って設けられている。また、一対の下面メタライズ層11の他方11ｂが、一方11ａと間を空けて基板２の他方の辺に沿って設けられている。一方11ａは、上記の貫通導体を含む配線導体の一部を介して導体層３および上部導体層８と電気的に接続されている。他方11ｂは、上記の貫通導体を含む配線導体のうち一方の下面メタライズ層11と電気的に接続されていない他の配線導体を介して枠状導電部材４と電気的に接続されている。なお、下面メタライズ層11は、導電材料からなり、例えば、タングステン、モリブデン、マンガン、ニッケル、銅、銀、金またはアルミニウム等の金属材料からなる。また、下面メタライズ層11は、それらの合金材料からなるものでもよい。あるいは、下面メタライズ層11は、これらの材料のうち複数の材料を混合した複合系材料からなるものでもよい。
【００４６】
このような構成によって、球状導電部材５が導体層３と枠状導電部材４とに接続されたときでも、球状導電部材５が上部導体層８と枠状導電部材４とに接続されたときでも、同じように、その電気的な接続を検知することができる。この電気的な接続が切れたとき（すなわち球状導電部材５を介した導体層３または上部導体層８との電気的な接続状態が変動したとき）も同様である。この、電気的な接続状態の変動の容易さによって、動作特性に優れた振動センサ１とすることができる。
【００４７】
なお、例えば図６に示すように、枠状導電部材４の側面の全体が、側面の下端から上端に向かって外側に傾斜しているときには、その側面が下側になるように振動センサ１が転倒したときに、球状導電部材５が側面に沿って上部導体層８の方向に動きやすい。したがって、動作特性の向上に有効である。
【００４８】
なお、枠状導電部材４の側面の一部（例えば蓋体７に近い上部のみ）が、側面の下端から上端に向かって（この方向において）外側に傾斜しているときにも、その側面が下側になったときでも、球状導電部材５の上部導体層８の方向への移動を容易にすることはできる。この場合には、上面視において側面の傾斜している範囲が比較的小さいため、上面視における振動センサ１の小型化については有利である。
【００４９】
また、図６等に示す例では、枠状導電部材４の全体が、枠状導電部材４の下端から上端に向かって外側に傾斜している。この場合には、枠状導電部材４自体を上記のように傾く方向に金属加工すればよいため、側面枠状導電部材４の製作が容易である。また、枠状導電部材４の下端と枠体との空間が大きくなるため、枠状導電部材４と第１メタライズ層９ａとの接合において、接合材10でフィレットの形成作業を容易にすることができる。そのため、振動センサ１の生産性を向上させることができる。なお、枠状導電部材４は、この図６等に示す形態に限られるものではなく、導体層３側の側面のみが外側に開くように傾斜したものでもよい。この場合、枠状導電部材４の外側の側面は傾斜していないもの（鉛直方向に伸びる面）でもよい。言い換えれば、枠状導電部材４は、外形が円筒状であって、内側面が円錐状（円錐台状）のものであってもよい。この場合には、枠状導電部材４の第１メタライズ層９ａに対する接合面積が大きいため、この部分の接合強度の向上が容易である。
【００５０】
（変形例）
図11は、図６の変形例を示す断面図である。図11において図１〜図10と同様の部位には同様の符号を付している。図11に示す例は、上記実施形態の振動センサ１の１つの変形例である。
【００５１】
図11に示す例においては、枠状導電部材４の前記側面の全体が、導体層３に対向する平面視（上面視）において側面の上部が下部よりも外側に位置するように凸状に湾曲している。この場合には、球状導電部材５と枠状導電部材４との空間距離を大きくすることが容易である。そのため、球状導電部材５を枠状導電部材４の内側に収めることが容易である。したがって、生産性の向上に対して有効な振動センサ１とすることができる。
【００５２】
上記の各実施形態において、例えば図８（ａ）に示すように、枠状導電部材４の下端部分が、導体層３側に曲がった曲面状であってもよい。この場合には、枠状導電部材４を第１メタライズ層９ａに接合する接合材10において効果的にフィレットを形成させることができる。したがって、この場合には、枠状導電部材４と基板２との接合強度の向上に対して有効な振動センサ１とすることができる。
【００５３】
また、曲面状である枠状導電部材４の下端部分において、下端部内側（導体層３側）の曲率半径は、下端部外側（枠体６側）の曲率半径よりも小さくてもよい。この場合には、
枠状導電部材４と第１メタライズ層９ａとの接合面積を大きくすることができ、枠状導電部材４と第１メタライズ層９ａの接合強度を向上させることができる。
【００５４】
上記の各実施形態において、例えば図８（ｂ）に示すように、枠状導電部材４の上端部分が枠体６側に曲がった曲面状であってもよい。この場合には、振動センサ１の組み立て工程において枠状導電部材４を接合材10にて第１メタライズ層９ａに接合する際に、接合材10が枠状導電部材４の外縁部を蔦って、枠状導電部材４の内側に流れ込むような可能性を低減することができる。このような流れ込みが生じると、導電体である接合材10によって振動の検知の精度が低下したり、誤検知（振動していないのに振動している検知すること等）等が生じる可能性がある。したがって、この場合には、組立工程不良の発生リスクが効果的に低減された振動センサ１とすることができる。
【００５５】
また、枠状導電部材４の上端部内側（導体層３側）が曲面状であることにより、上端部と内側側面が重なる端部に突起部（いわゆるバリ）が形成されにくく、誤検知等のリスクを低減することができる。
【符号の説明】
【００５６】
１  振動センサ
２  基板
２ａ  凹部
３  導体層
３Ａ  導電板
４  枠状導電部材
４ａ  傾斜部
５  球状導電部材
６  枠体
７  蓋体
８  上部導体層
９ａ  第１メタライズ層
９ｂ  第２メタライズ層
９ｃ  第３メタライズ層
10  接合材
11  下面メタライズ層
11ａ  一方（下面メタライズ層）
11ｂ  他方（下面メタライズ層）
ｓｐ１  隙間
ｓｐ２  絶縁空間
【図１】
2019007911.tif 000003
【図２】
2019007911.tif 000004
【図３】
2019007911.tif 000005
【図４】
2019007911.tif 000006
【図５】
2019007911.tif 000007
【図６】
2019007911.tif 000008
【図７】
2019007911.tif 000009
【図８】
2019007911.tif 000010
【図９】
2019007911.tif 000011
【図１０】
2019007911.tif 000012
【図１１】
2019007911.tif 000013